(57)【特許請求の範囲】
【請求項１】
表示手段に表示された入力画面に基づいて入力手段で入力された入力情報により本人ユーザを特定する本人ユーザ特定処理と、
該本人ユーザの資産を相続する相続対象者のデータを前記表示手段に表示した相続対象者指定画面の相続対象者登録部で前記入力手段により指定許容する相続対象者指定処理と、
前記相続対象者指定処理で指定された相続対象者と本人ユーザの関係を前記表示手段に表示する遺産相続系図画面に系図的に示すと共に、各相続対象者に向けた動画映像のメッセージの操作指示を前記遺産相続系図画面のメッセージ操作指示受付部により受け付ける処理と、
前記メッセージ操作指示受付部が操作されると、前記表示手段に表示する画面を、該当する相続対象者に向けた前記動画映像のメッセージを入力または確認可能なメッセージ操作画面に移行する画面移行処理と、
該メッセージ操作画面にて前記入力手段により前記動画映像のメッセージの登録や削除や編集を許容するメッセージ操作処理と、
夫婦財産契約に向けた本人ユーザと婚約者の映像データを、前記表示手段に表示した夫婦財産契約メッセージ画面で前記入力手段により記憶手段の夫婦財産契約データに登録する婚前映像データ登録処理と、
該本人ユーザと婚約者の婚前資産のデータを前記表示手段に表示した夫婦財産契約財産入力画面で前記入力手段により登録する婚前資産登録処理と、
前記婚前資産登録処理で入力された婚前資産のデータのうち本人ユーザの持分資産のデータをデフォルト登録した状態で前記表示手段に夫婦財産契約本人財産表画面を表示して前記本人ユーザの資産のデータを前記入力手段により入力する資産登録処理とをコンピュータに実行させる
相続人宛メッセージ管理プログラム。
【請求項２】
請求項１に記載の相続人宛メッセージ管理プログラムが記憶手段にインストールされたサーバ装置と、
該サーバ装置と通信可能に接続された本人ユーザ端末とを備えた
相続人宛メッセージ管理システム。
【発明の詳細な説明】
【技術分野】
【０００１】
この発明は、例えば本人ユーザが事前に用意したメッセージを死後に伝えられるようにするようなものに関し、特に相続人に伝えるような相続人宛メッセージ管理プログラムおよび相続人宛メッセージ管理システムに関する。
【背景技術】
【０００２】
従来、遺言メッセージを登録しておき、本人の生存が確認できなくなると、予め登録しておいた被配信者に遺言メッセージを配信する遺言配信サービスが提案されている（特許文献１参照）。この遺言配信サービスは、申込者からの応答がなくなって一定期間経過すると、本人の生存が確認できなくなったとして、遺言配信を行うものである。これにより、申込者の生存が確認できなくなったときに確実に遺言を配信できるとされている。
【０００３】
しかし、この遺言配信サービスは、誰に向けての遺言を残すのかといったことを管理できず、また相続対象者が何人いるのか確認できなかった。したがって、ユーザ自身が相続対象者等を管理したうえで遺言メッセージを登録する必要があり、利便性の上で難があった。
【０００４】
一方、個人史の作成システムが提案されている（特許文献２参照）。このシステムは、系図を作成することができ、個人史として動画等も保存できるとされている。しかし、このシステムは、相続対象者に向けたメッセージを残すためには適していなかった。つまり、系図は、家系を示すにすぎず、系図に表示している個人名と動画等との直接的な繋がりがなかった。そして、相続に関する情報も登録できなかった。
【特許文献１】特開２００５−１４１６０７
【特許文献２】特開２００２−１５０５７
【発明の開示】
【発明が解決しようとする課題】
【０００５】
この発明は、上述の問題に鑑み、本人ユーザが死亡後に相続対象者へ伝えたいメッセージを解りやすく管理できる相続人宛メッセージ管理プログラムおよび相続人宛メッセージ管理システムを提供することを目的とする。
【課題を解決するための手段】
【０００６】
この発明は、表示手段に表示された入力画面に基づいて入力手段で入力された入力情報により本人ユーザを特定する本人ユーザ特定処理と、該本人ユーザの資産を相続する相続対象者を相続対象者指定画面で指定許容する相続対象者指定処理と、指定された相続対象者と本人ユーザの関係を系図的に示すと共に各相続対象者に向けたメッセージの操作指示を受け付けるメッセージ操作指示受付部を有する相続対象者表示画面を表示する相続対象者表示処理と、前記メッセージ操作指示受付部が操作されると該当する相続対象者に向けたメッセージを入力または確認可能なメッセージ操作画面に移行する画面移行処理と、該メッセージ操作画面にてメッセージの登録や削除や編集を許容するメッセージ操作処理とをコンピュータに実行させる相続人宛メッセージ管理プログラム、および、この相続人宛メッセージ管理プログラムが搭載されたサーバ装置と、該サーバ装置と通信可能に接続された本人ユーザ端末とを備えた相続人宛メッセージ管理システムであることを特徴とする。
【０００７】
前記入力手段は、ユーザＩＤやパスワードの入力が可能なキーボードやタッチパネル、ＩＤカードなどの識別媒体からユーザＩＤなどを読み取り可能な媒体処理装置、あるいは本人ユーザの指紋や指静脈や掌静脈や網膜といった生体情報を読み取り可能な生体情報読取装置など、本人特定可能な情報を入力許容する手段で構成することができる。  
この発明により、本人ユーザが死亡後に相続対象者へ伝えたいメッセージを解りやすく管理できる。
【０００８】
この発明の態様として、前記相続対象者表示画面は、各相続対象者と該相続対象者向けのメッセージ操作指示受付部とが近接表示あるいは一体化表示されている構成とすることができる。  
これにより、本人ユーザは、系図に表示されている所望の相続対象者に向けたメッセージ操作画面へ解りやすいインターフェースで直接的に移行できる。
【０００９】
この発明の態様として、前記相続対象者指定処理で指定された相続人の人数と続柄に基づいて法定相続分を算出する法定相続分算出処理と、算出した法定相続分を相続対象者別に前記相続対象者表示画面に表示する法定相続分表示処理とをコンピュータに実行させることができる。
これにより、本人ユーザは、各相続対象者の法定相続分を容易に確認でき、この法定相続分を踏まえてメッセージの登録および確認を行うことができる。
【００１０】
またこの発明の態様として、前記本人ユーザが遺言により各相続対象者に相続させたい指定相続分を登録許容する指定相続分登録処理と、登録された指定相続分を前記相続対象者表示画面に表示する指定相続分表示処理とをコンピュータに実行させることができる。
【００１１】
これにより、本人ユーザは、各相続対象者の指定相続分を系図で一望でき、それぞれの指定相続分を比較しつつ設定することを容易に行える。特に、法定相続分と指定相続分の両方を系図に表す構成とした場合に、これらを一望して法定相続分と指定相続分とのバランスを考慮して指定相続分を決定することができる。
【００１２】
またこの発明の態様として、前記本人ユーザの資産を登録許容する資産登録処理と、前記ユーザ特定処理の後に夫婦財産契約に関する情報を登録許容する夫婦財産契約関係登録処理とをコンピュータに実行させ、前記夫婦財産契約関係登録処理にて、夫婦財産契約に向けた本人ユーザと婚約者の映像データを登録する婚前映像データ登録処理と、該本人ユーザと婚約者の婚前資産とを登録する婚前資産登録処理とをコンピュータに実行させ、前記婚前資産登録処理で入力された婚前資産のうち本人ユーザの持分資産をデフォルト登録した状態で前記資産登録処理をコンピュータに実行させることができる。
【００１３】
これにより、夫婦財産契約の内容を登録していつでも確認できるようになる。そして、夫婦財産契約の内容を効率よく利用して、法定相続分の計算や指定相続分の割り当てを決定することができる。
【発明の効果】
【００１４】
この発明により、本人ユーザが死亡後に相続対象者へ伝えたいメッセージを解りやすく管理できる相続人宛メッセージ管理プログラムおよび相続人宛メッセージ管理システムを提供することができる。
【発明を実施するための最良の形態】
【００１５】
本人ユーザが死亡後に相続対象者へ伝えたいメッセージを管理するという目的を、系図を用いて効果的に実現した。
【実施例１】
【００１６】
図１は、相続人宛メッセージ管理システム１のシステム構成図を示し、図２は、相続人宛メッセージ管理システム１のデータベース３に記憶される各種データの構成説明図を示す。
【００１７】
相続人宛メッセージ管理システム１は、管理サーバ２と、本人ユーザ端末５と、相続対象者端末７と、これらを通信可能に接続するインターネット４とにより構成されている。管理サーバ２と、本人ユーザ端末５と、相続対象者端末７は、いずれもコンピュータであり、表示手段としてのディスプレイ２ａ，５ａ，７ａ、入力手段としてのキーボード２ｂ，５ｂ，７ｂ、および本体２ｃ，５ｃ，７ｃがそれぞれ設けられている。各本体２ｃ，５ｃ，７ｃには、制御手段としてのＣＰＵ（Central Processing Unit），ＲＯＭ（Read Only Memory），およびＲＡＭ（Random Access Memory）、記憶手段としてのハードディスク、通信手段としてのＬＡＮ（Local Area Network）ボード、および、媒体処理装置としてＣＤ−ＲＯＭなどの記憶媒体を処理するＣＤドライブが設けられている。
【００１８】
管理サーバ２のハードディスクには、データベース３が記憶されている。この管理サーバ２は、ＷＥＢサーバ機能、およびデータベースサーバ機能を有している。また、管理サーバ２には、インターネット４を通じてアクセスしてきた端末に対して本人認証処理や相続関係処理などを実行する相続人宛メッセージ管理プログラムＰがインストールされている。
【００１９】
本人ユーザ端末５および相続対象者端末７には、ブラウザプログラムがインストールされている。本人ユーザ端末５および相続対象者端末７は、このブラウザプログラムにより、インターネット４を通じて管理サーバ２にアクセスし、相続人宛メッセージ管理プログラムＰによる本人認証処理や相続関係処理などを実行させることができる。
【００２０】
図２に示すように、データベース３には、ユーザデータ１１、夫婦財産契約データ１２、財産内訳データ１３、遺言データ１４、および相続対象者データ１５が記憶されている。  
【００２１】
ユーザデータ１１は、本人ＩＤ、パスワード、名前、住所、電話番号、Ｅ−Ｍａｉｌ、支払方法、生存確認方法、および生存確認頻度等により構成されている。  
夫婦財産契約データ１２は、本人ＩＤ、財産契約ＶＴＲ、婚約者宛ＶＴＲ、契約書全文、および財産内訳ＩＤ等により構成されている。
【００２２】
財産内訳データ１３は、財産内訳ＩＤ、本人ＩＤ、財産名、財産価値、所有者、本人割合、および配偶者割合等により構成されている。この財産内訳データ１３は、夫婦財産契約の際に利用されて本人割合と配偶者割合を登録できる。また、結婚後の相続対象の財産としても利用する。この場合、本人割合が０でないもののみを相続対象の財産とする。従って、夫婦財産契約で定めた本人ユーザ分の財産が、そのまま遺産相続の対象の財産となり、さらに財産を追加、変更、削除できる。
遺言データ１４は、本人ＩＤ、遺言作成ＶＴＲ、および遺言内容等により構成されている。  
【００２３】
相続対象者データ１５は、データＮｏ．、相続対象者ＩＤ、本人ＩＤ、続柄、氏名、住所、電話番号、Ｅ−ＭＡＩＬ、法定相続分、遺言により指定された相続分である指定相続分、相続対象者宛ＶＴＲ、タイトル、宛名、作成日付、テロップ、伝達方法、伝達日時、パッケージデザイン、および伝達状況等により構成されている。
【００２４】
図３は、本人ユーザ端末５を用いて本人ユーザが夫婦財産契約の内容や遺言に関する設定を行う際の画面遷移を示す画面遷移図である。  
本人ユーザに対して提供する画面は、まず大きな区分として、ＨＯＭＥ画面３０、夫婦財産契約メッセージ画面４０、遺産相続対象者画面８０、確認方法画面１３０、パッケージ画面１４０、およびデータ管理画面１５０がある。これらの画面は、各画面間を相互に行き来することができるように構成されている。
【００２５】
また、夫婦財産契約メッセージ画面４０に関連する画面として、夫婦財産契約財産入力画面５０、夫婦財産契約本人財産表画面６０、および夫婦財産契約配偶者財産表画面７０が設けられている。これらの夫婦財産契約メッセージ画面４０に関連する画面は、各画面間を相互に行き来することができるように構成されている。
【００２６】
また、遺産相続対象者画面８０に関連する画面として、遺産相続系図画面９０、遺産相続映像入力画面１００、および遺産相続パターン編集画面１２０が設けられている。これらの遺産相続対象者画面８０に関連する画面は、各画面間を相互に行き来することができるように構成されている。
【００２７】
ＨＯＭＥ画面３０（図３参照）は、後述するＨＯＭＥボタン３２、夫婦財産契約ボタン３３、遺産相続ボタン３４、確認方法ボタン３５、パッケージボタン３６、およびデータ管理ボタン３７と、本人ＩＤおよびパスワードを入力させる入力ボックスが設けられているだけであるので、図示省略する。
【００２８】
図４は、夫婦財産契約メッセージ画面４０の画面構成図である。  
夫婦財産契約メッセージ画面４０は、メニュー部分３１と、内容表部分４１とで主に構成されている。メニュー部分３１は、他の全ての画面と共通するメニューを表示しており、ＨＯＭＥボタン３２、夫婦財産契約ボタン３３、遺産相続ボタン３４、確認方法ボタン３５、パッケージボタン３６、およびデータ管理ボタン３７が設けられている。
【００２９】
ＨＯＭＥボタン３２が選択されると、ＨＯＭＥ画面３０に画面遷移する。夫婦財産契約ボタン３３が選択されると、夫婦財産契約メッセージ画面４０に画面遷移する。遺産相続ボタン３４が選択されると、遺産相続対象者画面８０に画面遷移する。確認方法ボタン３５が選択されると、確認方法画面１３０に画面遷移する。パッケージボタン３６が選択されると、パッケージ画面１４０に画面遷移する。データ管理ボタン３７が選択されると、データ管理画面１５０に画面遷移する。
【００３０】
内容表部分４１の上部には、小メニューボタンとしてメッセージボタン４２、夫婦財産契約ボタン４３、本人財産表ボタン４４、および配偶者財産表ボタン４５が設けられている。なお、図示している夫婦財産契約メッセージ画面４０は、夫婦財産契約ボタン３３が選択され、かつメッセージボタン４２が選択されているときに表示する画面である。
【００３１】
内容表部分４１の中央には、本人表示枠４６と婚約者表示枠４８が横並びに表示されている。この本人表示枠４６と婚約者表示枠４８は、系図ラインＴで接続して表示されている。
【００３２】
系図ラインＴの上部、つまり本人表示枠４６と婚約者表示枠４８の間には、財産契約ＶＴＲボタン４７が設けられている。この財産契約ＶＴＲボタン４７は、選択されると別画面に遷移し、本人ユーザと婚約者が夫婦財産契約を作成している様子などの動画映像を登録許容する。
【００３３】
婚約者表示枠４８の中には、婚約者宛ＶＴＲボタン４９が設けられている。この婚約者宛ＶＴＲボタン４９が選択されると、別画面に画面遷移し、本人ユーザが婚約者に向けて結婚前に撮影した動画映像を登録許容する。これにより、結婚前の本人ユーザの想いを登録しておけるようにしている。
【００３４】
この夫婦財産契約メッセージ画面４０により、財産契約ＶＴＲボタン４７や婚約者宛ＶＴＲボタン４９で入力される動画映像等を登録する婚前映像データ登録処理が実行される。  
なお、上述した財産契約ＶＴＲ、婚約者宛ＶＴＲ、および契約書全文は、夫婦財産契約データ１２（図２参照）に登録される。
【００３５】
図５は、夫婦財産契約ボタン３３が選択され、かつ夫婦財産契約ボタン４３が選択されているときに表示する夫婦財産契約財産入力画面５０の画面構成図を示す。この夫婦財産契約財産入力画面５０を含めてこれ以降説明する画面には、夫婦財産契約メッセージ画面４０と同一のメニューボタンが存在しているため、この同一のメニューボタンに同一符号を付して、その詳細な説明を省略する。
【００３６】
夫婦財産契約財産入力画面５０の内容表部分５１には、夫婦財産契約の内容を示す夫婦財産契約内訳表５２と契約書全文取り込みボタン５３が表示される。夫婦財産契約内訳表５２には、財産、契約での割合・数量、および所有者の項目が設けられている。これにより、複数の財産について、財産の所有者が本人ユーザと配偶者のどちらか、婚姻後の互いの持分をどのように設定するかを明確にしている。契約書全文取り込みボタン５３は、夫婦財産契約の全文をスキャナにより取り込むボタンである。これにより、実際の夫婦財産契約書の複製を取り込んでおくことができる。  
この夫婦財産契約財産入力画面５０により、結婚前の二人の資産を登録する婚前資産登録処理が実行される。
【００３７】
図６は、夫婦財産契約ボタン３３が選択され、かつ本人財産表ボタン４４が選択されているときに表示する夫婦財産契約本人財産表画面６０の画面構成図を示す。この夫婦財産契約本人財産表画面６０の内容表示部分６１には、本人所有財産内訳表６２が表示される。この本人所有財産内訳表６２は、本人ユーザが所有している財産と、夫婦財産契約で定められる婚姻後の本人ユーザの持分が表示される。
【００３８】
図７は、夫婦財産契約ボタン３３が選択され、かつ配偶者財産表ボタン４５が選択されているときに表示する夫婦財産契約配偶者財産表画面７０の画面構成図を示す。この夫婦財産契約配偶者財産表画面７０の内容表示部分７１には、配偶者所有財産内訳表（婚約者財産内訳表）７２が表示される。この配偶者所有財産内訳表７２は、配偶者（結婚前は婚約者）が所有している財産と、夫婦財産契約で定められる婚姻後の配偶者の持分が表示される。
【００３９】
これらの夫婦財産契約メッセージ画面４０、夫婦財産契約財産入力画面５０、夫婦財産契約本人財産表画面６０、および夫婦財産契約配偶者財産表画面７０を行き来して、本人ユーザの財産、婚約者の財産、結婚後のそれぞれの持分、夫婦財産契約の契約書全文の複製、夫婦財産契約作成時の様子（動画映像）、およびユーザ本人から婚約者へ向けたメッセージ（動画映像）等を登録しておく夫婦財産契約関係登録処理が実行される。これにより、結婚前の二人の愛情を互いに確認することができ、後日確認したときにその際の愛情を思い出すことができる。
【００４０】
図８は、遺産相続ボタン３４が選択され、かつ相続対象者表示ボタン８２が選択されているときに表示する遺産相続対象者画面８０の画面構成図を示す。  
遺産相続対象者画面８０の内容表示部分８１の上部には、小メニューボタンとして相続対象者表示ボタン８２、系図表示ボタン８３、映像入力ボタン８４、およびパターン編集ボタン８５が設けられている。また、中央には、相続対象者登録部８６が表示されている。この相続対象者登録部８６には、チェックボックス８７、続柄選択ボックス８８、および氏名入力ボックス８９のセットが縦並びに複数表示されている。これにより、続柄選択ボックス８８で続柄が選択され、氏名入力ボックス８９に氏名が入力され、チェックボックス８７にチェックを入れられた人物が相続対象者として登録される。この遺産相続対象者画面８０で入力されたデータは相続対象者データ１５に登録される。
この遺産相続対象者画面８０により、相続対象者を指定する相続対象者指定処理が実行される。
【００４１】
なお、後述する遺産相続系図画面９０、遺産相続映像入力画面１００および遺産相続パターン編集画面１２０には、遺産相続対象者画面８０と同一のメニューボタンが存在しているため、この同一のメニューボタンに同一符号を付して、その詳細な説明を省略する。
【００４２】
図９は、遺産相続ボタン３４が選択され、かつ系図表示ボタン８３が選択されているときに表示する遺産相続系図画面９０の画面構成図を示す。  
遺産相続系図画面９０の内容表示部分９１には、系図９２が設けられている。
【００４３】
系図９２は、いわゆる相関図と同様に、本人表示枠９７と相続対象者９３（この実施例では９３ａ〜９３ｊ）とが系図ラインＴでツリー状に接続して表示されている。このツリー表示は、遺産相続対象者画面８０で入力された相続対象者の続柄に従って、自動的に作成する。つまり、配偶者や兄弟は自分と同列に、父や母は自分より上列に、子供は自分より下列に、孫はさらに下列に表示する。そして、系図ラインＴは、夫婦関係を横ラインで接続し、その横ラインの中央から下列の人物に接続することで、親子関係を明確に接続する。なお、子供が非摘出子の場合、系図ラインＴを点線表示すると良い。非摘出子の入力は、遺産相続対象者画面８０の続柄選択ボックス８８で選択許容すると良い。
【００４４】
本人表示枠９７内には、「自分」と続柄表示がなされるとともに、遺言内容入力・表示ボタン９７ａが設けられている。遺言内容入力・表示ボタン９７ａが選択されると、後述する遺産相続映像入力画面１００に画面遷移し、相続対象者全員に向けた遺言の動画映像を入力許容する。
【００４５】
本人表示枠９７の横には、遺言作成ＶＴＲボタン９７ｂが設けられている。この遺言作成ＶＴＲボタン９７ｂが選択されると、後述する遺産相続映像入力画面１００に画面遷移し、遺言を作成している様子の動画映像を入力許容する。この遺言作成ＶＴＲボタン９７ｂの選択後に入力される動画映像（遺言作成ＶＴＲ）と、遺言内容入力・表示ボタン９７ａの選択後に入力される動画映像（遺言内容）は、遺言データ１４（図２参照）に登録される。
【００４６】
相続対象者９３（９３ａ〜９３ｊ）内には、「配偶者」や「兄」といったように続柄が表示されると共に、法定相続分表示部９４、指定相続分表示部９５、および相続対象者ＶＴＲボタン９６が近接配置されている。
法定相続分表示部９４には、登録されている全ての相続対象者について法定の相続分が自動計算されて表示される。  
【００４７】
指定相続分表示部９５には、本人ユーザによって入力された指定相続分が表示される。この指定相続分の入力は、指定相続分表示部９５が選択された際に図示省略する入力画面を表示し、この入力画面で入力許容すると良い。この入力画面には、夫婦財産契約財産入力画面５０で入力された本人ユーザの持分の財産が自動入力され、さらにこの財産の変更や別途の財産を追加入力できるように構成すると良い。
【００４８】
ここで、夫婦財産契約財産入力画面５０で入力された財産と、この入力画面で入力された財産は、財産内訳データ１３（図２参照）にまとめて登録されて管理される。また、指定相続分表示部９５に入力された指定相続分と、自動計算された法定相続分は、相続対象者データ１５（図２参照）に登録される。
【００４９】
相続対象者ＶＴＲボタン９６が選択されると、後述する遺産相続映像入力画面１００に画面遷移し、その相続対象者に向けた動画映像を入力許容する。従って、系図上の相続対象者９３に対応して表示されている相続対象者ＶＴＲボタン９６は、その相続対象者９３に向けた動画映像を入力する画面に直接的に繋がっている。この相続対象者ＶＴＲボタン９６の選択後に入力される動画映像（相続対象者ＶＴＲ）は、相続対象者データ１５（図２参照）に登録される。
【００５０】
遺産相続系図画面９０の内容表示部分９１の右上には、財産登録ボタン９９が表示されている。この財産登録ボタン９９が選択されると、図示省略する財産登録画面を表示し、財産の追加、変更、削除を行うことができる。
【００５１】
この財産登録画面は、上述した夫婦財産契約本人財産表画面６０（図６参照）の本人所有財産内訳表６２と同様の画面とし、財産、指定相続分、および相続対象者名で構成するとよい。そして、入力されたデータは財産内訳データ１３（図２参照）に登録すると良い。これにより、財産を管理できるとともに、各財産について何割を誰に相続させたいか明確にしておくことができる。
【００５２】
この遺産相続系図画面９０により、相続対象者を系図表示する相続対象者表示処理と、遺産相続映像入力画面１００へ移行する画面移行処理と、法定相続分を表示する法定相続分表示処理と、指定相続分表示部９５により指定相続分を登録する指定相続分登録処理と、指定相続分表示部９５に指定相続分を表示する指定相続分表示処理と、財産登録ボタン９９の選択により財産（資産）が登録される資産登録処理とが実行される。
【００５３】
なお、相続対象者９３ａ〜９３ｊが系図ラインＴでツリー状に繋がっているが、本人ユーザの友人など血縁関係のない相続対象者９３ｋ，９３ｌが登録された場合、系図ラインＴで接続せず単独表示する。この単独表示が複数ある場合は、図示するように右端部分に縦列表示するなど、一列に並べて表示するとよい。このように単独表示する場合、相続対象者９３ｋ，９３ｌには、続柄ではなく氏名を表示し、法定相続分表示部９４、指定相続分表示部９５、および相続対象者ＶＴＲボタン９６を表示すると良い。この相続対象者９３ｋ，９３ｌについて、相続対象とせずに動画映像によるメッセージを残したい場合は、相続対象者ＶＴＲボタン９６により動画映像を登録し、指定相続分表示部９５に「０」を登録しておけばよい。
【００５４】
図１０は、遺産相続ボタン３４が選択され、かつ映像入力ボタン８４が選択されているときに表示する遺産相続映像入力画面１００の画面構成図を示す。  
遺産相続映像入力画面１００の内容表示部分１０１には、動画映像表示部１０２が大きく設けられている。この動画映像表示部１０２には、左上に宛名表示部１０３、右上に日付表示部１０４、下にテロップ表示部１０５が設けられ、テロップ表示部１０５の右上にタイムコード表示部１０６が設けられている。
【００５５】
内容表示部分１０１の右側には、相続対象者名表示部１１１、タイトル入力部１１２、宛名入力部１１３、相続対象者連絡先入力部１１４、テロップ入力部１１５、音楽データ入力部１１６、およびデータ保存ボタン１１７が設けられている。
【００５６】
宛名表示部１０３には、宛名入力部１１３で入力された宛名を表示する。日付表示部１０４には、更新日付を自動で入力する。テロップ表示部１０５には、テロップ入力部１１５で入力された文字をテロップとして表示する。
この遺産相続映像入力画面１００で入力された各項目のデータは、相続対象者データ１５（図２参照）に登録される。  
この遺産相続映像入力画面１００により、相続対象者宛のメッセージとなる動画映像の追加、編集、削除を行うメッセージ操作処理が実行される。
【００５７】
図１１は、遺産相続ボタン３４が選択され、かつパターン編集ボタン８５が選択されているときに表示する遺産相続パターン編集画面１２０の画面構成図を示す。  
【００５８】
遺産相続パターン編集画面１２０の内容表示部分１２１には、動画映像一覧表示部１２２と、映像入力ボタン１２３と、文字入力ボタン１２４と、音楽入力ボタン１２５と、写真入力ボタン１２６とが設けられている。
【００５９】
動画映像一覧表示部１２２には、複数の動画映像が横一列に整列配置して表示され、現在選択されている選択映像１２２ｂが中央に表示される。選択映像１２２ｂより左側には、選択映像１２２ｂよりも再生順番が先の先映像１２２ａが表示される。選択映像１２２ｂより右側には、選択映像１２２ｂよりも再生順番が後の後映像１２２ｃが表示される。選択映像１２２ｂとして中央に表示する動画映像は、先映像１２２ａと後映像１２２ｃの中からマウスクリック等により任意に選択することができる。
【００６０】
映像入力ボタン１２３は、選択されると図示省略する別画面を表示し、動画映像のデータを本人ユーザ端末５から管理サーバ２のデータベース３へアップロードする処理を実行する。
文字入力ボタン１２４は、選択されると図示省略する文字入力画面を表示して文字の入力を許容する。  
【００６１】
音楽入力ボタン１２５は、選択されると図示省略する音楽入力画面を表示し、音楽のデータを本人ユーザ端末５から管理サーバ２のデータベース３へアップロードする処理を実行する。ここで、本人ユーザが著作権を有しない音楽データがアップロードされるとき、音楽データ入力ボタン１１６によりタイトル名やアーティスト名を入力させることで、著作権処理をシステム提供会社にて行うことができる。
【００６２】
写真入力ボタン１２６は、選択されると図示省略する写真入力画面を表示し、静止画像のデータを本人ユーザ端末５から管理サーバ２のデータベース３へアップロードする処理を実行する。
【００６３】
図１２は、確認方法ボタン３５が選択され、かつパターン編集ボタン８５が選択されているときに表示する確認方法画面１３０の画面構成図を示す。  
確認方法画面１３０の内容表示部分１３１には、第１段階確認方法入力部１３３と、第２段階確認方法入力部１３４とが設けられている。
【００６４】
第１段階確認方法入力部１３３は、生存確認方法を「Ｅメール」、「電話」、「郵便」、および「料金支払い」の各項目により構成されている。Ｅメール、電話、あるいは郵便住所の場合、確認頻度を入力させると良い。また、料金支払いが選択された場合、銀行振込とクレジットカードのどちらの支払いでどれくらいの頻度で確認するか選択させる。システム提供会社は、原則として、この第１段階確認方法入力部１３３で指定された方法により、生存確認を行う。
【００６５】
第２段階確認方法入力部１３４は、第１段階の確認方法で確認が取れなかった場合に、次にどの方法により生存確認を行うか定める部分である。この第２段階確認方法入力部１３４は、本人ユーザ以外の指定者を本人ユーザの生存確認のために登録する指定者情報登録ボタン、および、システム提供会社に住民票の確認により生存確認することを依頼するための委任状等の作成ボタン１３４が設けられている。この確認方法画面１３０で入力されたデータは、ユーザデータ１１（図２参照）に登録される。
【００６６】
図１３は、データ管理ボタン３７が選択されているときに表示するデータ管理画面１５０の画面構成図を示す。  
データ管理画面１５０の内容表示部分１５１には、一覧表示部１５２、宛先検索ボタン１５３、データＮｏ．検索ボタン１５４、データ件数およびデータ量表示部１５５、前頁ボタン１５６、頁数表示部１５７、および後頁ボタン１５８が設けられている。
【００６７】
一覧表示部１５２には、データＮｏ．、タイトル、登録日時、宛先、内容、データ容量、伝達方法・日時、パッケージ・画面デザイン、および伝達状況の各項目が設けられており、それぞれに更新ボタンと削除ボタンも設けられている。これにより、相続対象者に伝えるものの登録状況を一覧表示して確認することができ、内容を容易に比較できるようにしている。また、その場で修正して更新あるいは削除できるようにしている。
【００６８】
図１４は、相続人宛メッセージ管理システム１の全体の動作を示すフローチャートである。  
本人ユーザ端末５が管理サーバ２にアクセスすると（ステップＳ１）、管理サーバ２は、本人認証処理を実行する（ステップＳ２）。この本人認証処理では、本人ＩＤとパスワードの入力を求め、ユーザデータ１１に登録されている本人ＩＤおよびパスワードと照合し、一致していれば認証ＯＫ、不一致であれば認証ＮＧとする。なお、これに限らず生体認証を用いて本人認証を行うなど、他の適宜の方法により認証してもよい。
認証ＯＫであれば、管理サーバ２は、本人ユーザ端末５にＨＯＭＥ画面３０を表示させる（ステップＳ３）。  
【００６９】
ＨＯＭＥ画面３０等で夫婦財産契約ボタン３３が選択されると（ステップＳ４：Ｙｅｓ）、管理サーバ２は、本人ユーザ端末５に夫婦財産契約メッセージ画面４０を表示させ、夫婦財産契約に関する入力処理や確認処理を実行する（ステップＳ５）。
【００７０】
ＨＯＭＥ画面３０等で遺産相続ボタン３４が選択されると（ステップＳ６：Ｙｅｓ）、管理サーバ２は、本人ユーザ端末５に遺産相続対象者画面８０を表示させ、遺産相続に関する入力処理や確認処理を実行する（ステップＳ７）。この処理内で、遺産相続系図画面９０を表示する際には、法定相続分をその都度計算して表示する。この法定相続分を算出する法定相続分算出処理は、相続対象者データ１５に登録されている続柄に基づいて、各相続対象者の相続分がそれぞれ何割になるかを法定に従って算出すると良い。なお、適宜の法定相続分の更新ボタンを設け、この更新ボタンが選択されたときに再計算する構成にしてもよい。
【００７１】
ＨＯＭＥ画面３０等で確認方法ボタン３５が選択されると（ステップＳ８：Ｙｅｓ）、管理サーバ２は、本人ユーザ端末５に確認方法画面１３０を表示させ、遺産相続に関する入力処理や確認処理を実行する（ステップＳ９）。
【００７２】
ＨＯＭＥ画面３０等でパッケージボタン３６が選択されると（ステップＳ１０：Ｙｅｓ）、管理サーバ２は、本人ユーザ端末５にパッケージ画面１４０を表示させ、相続対象者に贈る動画映像を記録したＤＶＤなどのパッケージに関する入力処理や確認処理を実行する（ステップＳ１１）。
【００７３】
ＨＯＭＥ画面３０等でデータ管理ボタン３７が選択されると（ステップＳ１２：Ｙｅｓ）、管理サーバ２は、本人ユーザ端末５にデータ管理画面１５０を表示させ、登録している相続対象者宛の動画映像等に関する入力処理や確認処理を実行する（ステップＳ１３）。
【００７４】
このようにして、本人ユーザは、相続対象者宛の動画映像を登録することができ、遺産相続分等を登録しておくことができる。確認方法画面１３０で指定された方法により本人の死亡が確認された後は、相続対象者データ１５に相続対象者別に登録されている情報を参照し、登録されている相続対象者ＶＴＲの記録されているＤＶＤを、登録されているパッケージデザインのパッケージにより包装し、登録された伝達方法により相続対象者へ伝達すると良い。こうして、登録された相続対象者宛ＶＴＲを本人ユーザの死後に相続対象者へ確実に伝達することができる。なお、ＤＶＤによる伝達に限らず、相続対象者が相続対象者端末７を用いて管理サーバ２にアクセスすれば動画映像などを閲覧できるように構成してもよく、また電子メールによって相続対象者端末７に動画映像などを送信するように構成してもよい。
【００７５】
以上の構成および動作により、本人ユーザが死亡後に相続対象者へ伝えたいメッセージを解りやすく管理できる。特に、遺産相続系図画面９０には、相続対象者が解りやすく系図表示されている。また、各相続対象者に向けた動画映像の編集等を、系図表示されている相続対象者の相続対象者ＶＴＲボタン９６を選択するだけで開始できるため、非常に便利に解りやすく利用することができる。
【００７６】
また、系図表示されている各相続対象者には、法定相続分が自動入力されるため、指定相続分を登録する際に参考にすることができる。また、本人ユーザは、全ての相続対象者について法定相続分と指定相続分を一望できるため、バランスを見ながら指定相続分を決定することができる。
【００７７】
また、この系図表示されている遺産相続系図画面９で、指定相続分を直接編集できるため、本人ユーザは非常に便利に利用することができる。単に一覧表示する場合であれば相続対象者名を読んで確認していく必要があるが、系図表示を用いているため、各相続対象者への指定相続分の配分を感覚的に確認でき、素早く間違いなく確認することができる。
【００７８】
また、夫婦財産契約では、夫婦財産契約を作成している様子の動画映像や、配偶者に向けた気持ちを録画した動画映像などを登録できるため、結婚前の様子を結婚後に確認することができる。これにより、離婚しようとして夫婦財産契約を見直す際に、この動画映像によって離婚を考えなおす契機を提供できる。
【００７９】
また、相続人宛メッセージ管理システム１は、夫婦財産契約で入力された本人ユーザの持分を、遺産相続の財産としてそのまま利用できる。このため、本人ユーザは、財産を再入力する必要がなく、非常に便利に利用することができる。
【００８０】
なお、上述の実施形態では、相続対象者９３内に相続対象者ＶＴＲボタン９６を表示したが、これにかぎらず、例えば相続対象者９３そのものを相続対象者ＶＴＲボタン９６としてもよい。この場合、相続対象者９３を選択すれば、遺産相続映像入力画面１００に移行するように構成すればよい。この場合でも、本人ユーザは、系図に表示されている所望の相続対象者に向けた遺産相続映像入力画面１００へ解りやすいインターフェースで直接的に移行できる。
【００８１】
この発明の構成と、上述の実施形態との対応において、
この発明のサーバ装置は、実施形態の管理サーバ２に対応し、
以下同様に、
本人ユーザ端末は、本人ユーザ端末５に対応し、
表示手段は、ディスプレイ５ａに対応し、
入力手段は、キーボード５ｂに対応し、
入力画面は、ＨＯＭＥ画面３０に対応し、
相続対象者指定画面は、遺産相続対象者画面８０に対応し、
相続対象者表示画面は、遺産相続系図画面９０に対応し、
メッセージ操作指示受付部は、相続対象者ＶＴＲボタン９６に対応し、
メッセージ操作画面は、遺産相続映像入力画面１００に対応し、
相続人宛メッセージ管理プログラムは、相続人宛メッセージ管理プログラムＰに対応し、
本人ユーザ特定処理は、ステップＳ２に対応し、
入力情報は、本人ＩＤおよびパスワードに対応するが、
この発明は、上述の実施形態の構成のみに限定されるものではなく、多くの実施の形態を得ることができる。
【図面の簡単な説明】
【００８２】
【図１】相続人宛メッセージ管理システムのシステム構成図。
【図２】データベースに記憶される各種データの構成説明図。
【図３】画面遷移図。
【図４】財産契約メッセージ画面の画面構成図。
【図５】夫婦財産契約財産入力画面の画面構成図。
【図６】夫婦財産契約本人財産表画面の画面構成図。
【図７】夫婦財産契約配偶者財産表画面の画面構成図。
【図８】遺産相続対象者画面の画面構成図。
【図９】遺産相続系図画面の画面構成図。
【図１０】遺産相続映像入力画面の画面構成図。
【図１１】遺産相続パターン編集画面の画面構成図。
【図１２】確認方法画面の画面構成図。
【図１３】データ管理画面の画面構成図。
【図１４】相続人宛メッセージ管理システムの全体の動作を示すフローチャート。
【符号の説明】
【００８３】
１…相続人宛メッセージ管理システム、２…管理サーバ、５…本人ユーザ端末、５ａ…ディスプレイ、５ｂ…キーボード、３０…ＨＯＭＥ画面、８０…遺産相続対象者画面、９０…遺産相続系図画面、９６…相続対象者ＶＴＲボタン、１００…遺産相続映像入力画面、Ｐ…相続人宛メッセージ管理プログラム
【図１】
0005159340.tif 000002
【図２】
0005159340.tif 000003
【図３】
0005159340.tif 000004
【図４】
0005159340.tif 000005
【図５】
0005159340.tif 000006
【図６】
0005159340.tif 000007
【図７】
0005159340.tif 000008
【図８】
0005159340.tif 000009
【図９】
0005159340.tif 000010
【図１０】
0005159340.tif 000011
【図１１】
0005159340.tif 000012
【図１２】
0005159340.tif 000013
【図１３】
0005159340.tif 000014
【図１４】
0005159340.tif 000015